(57)【特許請求の範囲】
【請求項１】
上筐体と下筐体の一方の内側面に少なくとも表示部が設けられ、該上筐体と下筐体の各内側面を密接して閉じるか、開くことが可能な折り畳み型携帯電話機の数値情報報知装置であって、
前記上筐体と下筐体の各内側面を密接して閉じた折り畳み状態であるか否か検出する開閉検出部と、
前記上筐体及び下筐体の一方に設けられており、前記折り畳み状態で外部から押下可能なキーと、
入力信号に応じて振動するバイブレータと、
数値情報を発生する数値情報発生手段と、
前記開閉検出部から折り畳み状態であることを示す検出信号が入力され、かつ、前記キーが押下されたことを示す信号が入力されたときは、前記数値情報発生手段からの数値情報が時刻情報であるときは、時の桁の数値と同じ数の第１の振動期間に続いて、該第１の振動期間に比べて長い１回目の第２の振動期間により前記時の桁を表した後、１０分の桁の数値と同じ数の前記第１の振動期間に続いて、２回目の前記第２の振動期間により前記１０分の桁を表し、続いて分の桁の数値と同じ数の前記第１の振動期間により分の時刻を表すと共に、隣り合う前記第１の振動期間同士の間、又は前記第１の振動期間と前記第２の振動期間の間に振動期間の区切りを識別させるための無振動期間を設けた振動パターンで前記バイブレータを振動させ、前記数値情報が未読メール数であるときは、該未読メール数と同じ数の前記第１の振動期間と、隣り合う該第１の振動期間同士の間に設けた該第１の振動期間の区切りを識別させるための無振動期間との振動パターンで前記バイブレータを振動させるバイブレータ制御手段と
を有し、前記バイブレータの振動パターンで前記数値情報を報知することを特徴とする折り畳み型携帯電話機における数値情報報知装置。
【請求項２】
前記数値情報の各数値に対応する音声データを発生する音声データ発生手段と、
バイブレータ使用モードか音声モードかを判定するモード判定手段と、
前記開閉検出部からの折り畳み状態であることを示す検出信号と、前記キーが押下されたことを示す信号が入力され、かつ、前記モード判定手段により前記音声モードであることが判定されたときに、前記音声データ発生手段からの前記音声データに基づき前記数値情報発生手段からの数値情報の各数値毎に対応させた音声信号を合成出力する音声合成手段と、
該音声合成手段から出力される音声信号を発音させる音声出力手段と
を更に有し、前記バイブレータ制御手段は、前記開閉検出部からの折り畳み状態であることを示す検出信号と、前記キーが押下されたことを示す信号が入力され、かつ、前記モード判定手段により前記バイブレータ使用モードであることが判定されたときに、前記数値情報発生手段からの数値情報の各数値毎に対応させた振動パターンで前記バイブレータを振動させることを特徴とする請求項１記載の折り畳み型携帯電話機における数値情報報知装置。
【請求項３】
上筐体と下筐体の一方の内側面に少なくとも表示部が設けられ、該上筐体と下筐体の各内側面を密接して閉じた折り畳み状態のときに、外部から押下可能なキーが前記上筐体及び下筐体の一方に設けられており、バイブレータを備えた折り畳み型携帯電話機の数値情報報知方法であって、
前記折り畳み状態で、かつ、前記キーが押下されたか否かを検出する第１のステップと、
前記第１のステップにより前記折り畳み状態で、かつ、前記キーが押下されたことが検出されたときに、所定の数値情報を取得する第２のステップと、
前記第２のステップにより取得した前記所定の数値情報が時刻情報であるときは、時の桁の数値と同じ数の第１の振動期間に続いて、該第１の振動期間に比べて長い１回目の第２の振動期間により前記時の桁を表した後、１０分の桁の数値と同じ数の前記第１の振動期間に続いて、２回目の前記第２の振動期間により前記１０分の桁を表し、続いて分の桁の数値と同じ数の前記第１の振動期間により分の時刻を表すと共に、隣り合う前記第１の振動期間同士の間、又は前記第１の振動期間と前記第２の振動期間の間に振動期間の区切りを識別させるための無振動期間を設けた振動パターンで前記バイブレータを振動させ、前記数値情報が未読メール数であるときは、該未読メール数と同じ数の前記第１の振動期間と、隣り合う該第１の振動期間同士の間に設けた該第１の振動期間の区切りを識別させるための無振動期間との振動パターンで前記バイブレータを振動させる第３のステップと
を含み、前記バイブレータの振動パターンで前記数値情報を報知することを特徴とする折り畳み型携帯電話機における数値情報報知方法。
【請求項４】
バイブレータ使用モードか音声モードかを判定する第４のステップと、
前記第１のステップにより前記折り畳み状態で、かつ、前記キーが押下されたことが検出され、かつ、前記第４のステップにより前記音声モードであることが判定されたときに、前記数値情報の各数値に基づき該数値情報の各数値毎に対応させた音声信号を合成出力する第５のステップと、
該第５のステップで出力される音声信号を発音させる第６のステップと
を更に含み、前記第３のステップは、前記第１のステップにより前記折り畳み状態で、かつ、前記キーが押下されたことが検出され、かつ、前記第４のステップにより前記バイブレータ使用モードであることが判定されたときに、前記数値情報の各数値毎に対応させた前記振動パターンで前記バイブレータを振動させることを特徴とする請求項３記載の折り畳み型携帯電話機における数値情報報知方法。
【発明の詳細な説明】
【０００１】
【発明の属する技術分野】
本発明は折り畳み型携帯電話機における数値情報報知装置及び方法に係り、特に現在時刻などの数値情報を表示する機能を持つ折り畳み型携帯電話機において、当該数値情報を報知する装置及び方法に関する。
【０００２】
【従来の技術】
近年、携帯電話機は益々小型化、多機能化が図られてきており、小型化のため不使用時には筐体を二つ折りにできる折り畳み型携帯電話機が知られている。この折り畳み型携帯電話機では、折り畳まれる二つの筐体部のうちの上側筐体部（上筐体）の内側面には、例えば受話用スピーカや表示部が配置され、下側筐体部（下筐体）の内側面には、例えば送話用マイクや各種操作キーが配置されている。
【０００３】
ところで、このような折り畳み型携帯電話機では、一般的な携帯電話機と同様に現在時刻の表示機能がある。しかし、折り畳み型携帯電話機の場合、折り畳んだ状態では表示部が筐体の内側面にあるため、現在時刻を確認するためには筐体を開いて表示部を見る必要があるため、操作が煩わしい。
【０００４】
そこで、従来の折り畳み型形態電話機の中には、上記の操作の煩わしさを解決するために、筐体の外部にも別の表示部を用意し、その筐体の外部の表示部に現在時刻等を表示する機能を有するようにした構成のものもある。
【０００５】
【発明が解決しようとする課題】
しかるに、筐体外部の表示部に現在時刻等を表示できるようにした従来の折り畳み型携帯電話機では、ポケットや鞄等に携帯電話機を収納した場合、そのままでは筐体を目視できないために、使用者は現在時刻を確認することはできず、現在時刻を確認するためにはポケットや鞄等から携帯電話機を取り出す作業が必要となる。
【０００６】
本発明は上記の点に鑑みなされたもので、現在の一般的な携帯電話機がもつ、音声合成機能やバイブレータ機能を用いて、折り畳んだままの状態で現在時刻などの数値情報を報知し得る折り畳み型携帯電話機における数値情報報知装置及び方法を提供することを目的とする。
【０００７】
【課題を解決するための手段】
上記の目的を達成するため、本発明の折り畳み型携帯電話機における数値情報報知装置は、上筐体と下筐体の一方の内側面に少なくとも表示部が設けられ、上筐体と下筐体の各内側面を密接して閉じるか、開くことが可能な折り畳み型携帯電話機の数値情報報知装置であって、上筐体と下筐体の各内側面を密接して閉じた折り畳み状態であるか否か検出する開閉検出部と、上筐体及び下筐体の一方に設けられており、折り畳み状態で外部から押下可能なキーと、入力信号に応じて振動するバイブレータと、数値情報を発生する数値情報発生手段と、開閉検出部から折り畳み状態であることを示す検出信号が入力され、かつ、キーが押下されたことを示す信号が入力されたときは、数値情報発生手段からの数値情報が時刻情報であるときは、時の桁の数値と同じ数の第１の振動期間に続いて、第１の振動期間に比べて長い１回目の第２の振動期間により時の桁を表した後、１０分の桁の数値と同じ数の第１の振動期間に続いて、２回目の第２の振動期間により１０分の桁を表し、続いて分の桁の数値と同じ数の第１の振動期間により分の時刻を表すと共に、隣り合う第１の振動期間同士の間、又は第１の振動期間と第２の振動期間の間に振動期間の区切りを識別させるための無振動期間を設けた振動パターンでバイブレータを振動させ、数値情報が未読メール数であるときは、未読メール数と同じ数の第１の振動期間と、隣り合う第１の振動期間同士の間に設けた第１の振動期間の区切りを識別させるための無振動期間との振動パターンでバイブレータを振動させるバイブレータ制御手段とを有し、バイブレータの振動パターンで数値情報を報知する構成としたものである。この発明では、折り畳み状態のままで上記のキーを押下することで、数値情報の各数値毎に対応させた振動パターンでバイブレータを振動させることができる。
【０００９】
また、上記の目的を達成するため、本発明装置は、数値情報の各数値に対応する音声データを発生する音声データ発生手段と、バイブレータ使用モードか音声モードかを判定するモード判定手段と、開閉検出部からの折り畳み状態であることを示す検出信号と、キーが押下されたことを示す信号が入力され、かつ、モード判定手段により音声モードであることが判定されたときに、音声データ発生手段からの音声データに基づき数値情報発生手段からの数値情報の各数値毎に対応させた音声信号を合成出力する音声合成手段と、音声合成手段から出力される音声信号を発音させる音声出力手段とを更に有し、バイブレータ制御手段は、開閉検出部からの折り畳み状態であることを示す検出信号と、キーが押下されたことを示す信号が入力され、かつ、モード判定手段によりバイブレータ使用モードであることが判定されたときに、数値情報発生手段からの数値情報の各数値毎に対応させた振動パターンでバイブレータを振動させることを特徴とする。
【００１０】
この発明では、音声モードであるときには、折り畳み状態のままで上記のキーを押下することで、数値情報の各数値毎に対応させた音声信号を合成出力することができる。
【００１１】
また、上記の目的を達成するため、本発明の折り畳み型携帯電話機における数値情報報知方法は、折り畳み状態で、かつ、キーが押下されたか否かを検出する第１のステップと、第１のステップにより折り畳み状態で、かつ、キーが押下されたことが検出されたときに、所定の数値情報を取得する第２のステップと、第２のステップにより取得した所定の数値情報が時刻情報であるときは、時の桁の数値と同じ数の第１の振動期間に続いて、第１の振動期間に比べて長い１回目の第２の振動期間により時の桁を表した後、１０分の桁の数値と同じ数の第１の振動期間に続いて、２回目の第２の振動期間により１０分の桁を表し、続いて分の桁の数値と同じ数の第１の振動期間により分の時刻を表すと共に、隣り合う第１の振動期間同士の間、又は第１の振動期間と第２の振動期間の間に振動期間の区切りを識別させるための無振動期間を設けた振動パターンでバイブレータを振動させ、数値情報が未読メール数であるときは、未読メール数と同じ数の第１の振動期間と、隣り合う第１の振動期間同士の間に設けた第１の振動期間の区切りを識別させるための無振動期間との振動パターンでバイブレータを振動させる第３のステップとを含み、バイブレータの振動パターンで数値情報を報知することを特徴とする。この発明では、折り畳み状態のままで上記のキーを押下することで、数値情報の各数値毎に対応させた振動パターンでバイブレータを振動させることができる。
【００１２】
また、上記の目的を達成するため、本発明方法は、上記の数値情報報知方法に加えて、バイブレータ使用モードか音声モードかを判定する第４のステップと、第１のステップにより折り畳み状態で、かつ、キーが押下されたことが検出され、かつ、第４のステップにより音声モードであることが判定されたときに、数値情報の各数値に対応させた音声信号を合成出力する第５のステップと、第５のステップで出力される音声信号を発音させる第６のステップとを更に含み、第３のステップは、第１のステップにより折り畳み状態で、かつ、キーが押下されたことが検出され、かつ、第４のステップによりバイブレータ使用モードであることが判定されたときに、数値情報の各数値毎に対応させた振動パターンでバイブレータを振動させることを特徴とする。
【００１３】
この発明では、音声モードであるときには、折り畳み状態のままで上記のキーを押下することで、数値情報の各数値毎に対応させた音声信号を合成出力することができる。
【００１４】
【発明の実施の形態】
次に、本発明の一実施の形態について図面と共に説明する。図１は本発明になる折り畳み型携帯電話機における数値情報報知装置の一実施の形態のブロック図、図２は本発明を適用し得る折り畳み型携帯電話機の一例の斜視図を示す。両図中、同一構成部分には同一符号を付してある。この実施の形態に適用される折り畳み型携帯電話機は、図２の斜視図に示すように、上筐体１０ａと下筐体１０ｂとが二つ折りされて、互いの内側面が対向密着するようになされている。使用時には上筐体１０ａと下筐体１０ｂとを開いて使用する。また、下筐体１０ｂの側面の所定位置には、折り畳んだ状態で押下可能なサイドキー２が設けられている。
【００１５】
図１において、本実施の形態の数値情報報知装置は、折り畳み型携帯電話機が折り畳み状態であるか否かを検出する開閉検出部１と、図２に示したサイドキー２と、プログラム制御により動作する制御部３と、情報を記憶する記憶部４と、音声をスピーカ６から出力させるサウンダ５と、上筐体１０ａ及び下筐体１０ｂを振動させるバイブレータ７とを有した構成とされている。
【００１６】
開閉検出部１は、図２に示した上筐体１０ａと下筐体１０ｂが接触しているかどうかを検出し、それにより折り畳み状態であるか否かを検出する。制御部３は出力判定部３１、時刻制御部３２、出力先制御部３３、音声合成処理部３４、バイブレータ制御部３５を備えている。
【００１７】
出力判定部３１は、開閉検出部１から筐体が折り畳み状態であることを通知され、かつ、サイドキー２からキー押下を通知されると、出力先制御部３３に出力処理開始を通知する。時刻制御部３２は現在時刻を制御し、必要に応じて出力先制御部３３に現在時刻データを通知する。
【００１８】
出力先制御部３３は、出力判定部３１から出力処理開始を通知されると、時刻制御部３２から現在時刻データを取得し、また記憶部４の出力モード４１に応じて音声合成処理部３４もしくはバイブレータ制御部３５に現在時刻データを通知する。
【００１９】
音声合成処理部３４は現在時刻データを音声データに変換する処理を有する。変換には記憶部４の音声データ４２を利用し、サウンダ５に音声データを通知する。なお、この音声合成処理部３４は、電話帳に登録されている電話番号に発信する際に、その電話番号を音声で読み上げるためなどを目的として、元々折り畳み型携帯電話機に備わっているものを利用できる。バイブレータ制御部３５は現在時刻データをバイブレータ７の振動パターンに変換した後、バイブレータ７を振動する処理を行う。
【００２０】
記憶部４は、出力モード４１と音声データ４２を記憶している。出力モード４１は、サウンダ通知（音声モード）かバイブレータ通知（バイブレータ使用モード）であるかの設定値を記憶している。この出力モード４１の設定は利用者の操作によって変更ができるものとする。音声データ４２は各数字「０」から「９」および「時」、「分」などの時刻を音声に変換する際に必要な音声データである。
【００２１】
サウンダ５は音声をスピーカ６から出力するための音声信号処理を行う。バイブレータ７は、バイブレータ制御部３５から入力される信号による振動パターンに応じて振動する。バイブレータ７は、着信などを振動により報知するために、従来より用いられているものと共用可能である。
【００２２】
次に、図２の実施の形態の動作について、図２の斜視図と、図３の本発明方法の一実施の形態を示すフローチャートと、図４の振動パターン説明図とを併せ参照して詳細に説明する。
【００２３】
まず、出力判定部３１は、開閉検出部１から筐体が折り畳み状態かどうかを判定する（図３のステップＡ１）。折り畳み状態、すなわち上筐体１０ａと下筐体１０ｂとが閉じられた状態である場合、サイドキー２が押下されたかどうかを、サイドキー２からの信号に基づいて判定する（図３のステップＡ２）。
【００２４】
サイドキー２が押下されていた場合、出力判定部３１は現在時刻を出力することを決定し、出力先制御部３３にその旨を通知する。この通知に基づき、出力先制御部３３は、時刻制御部３２より現在時刻データを取得する（図３のステップＡ３）。
【００２５】
次に、出力先制御部３３は、記憶部４の出力モード４１を読み出して、現在の出力モードがサウンダ通知かバイブレータ通知かを判定し（図３のステップＡ４）、サウンダ通知である場合は、時刻制御部３２から取得した現在時刻データを音声合成処理部３４に通知し、バイブレータ通知である場合は、上記の現在時刻データをバイブレータ制御部３５に通知する。
【００２６】
サウンダ通知の場合、音声合成処理部３４は記憶部４の音声データ４２を用いて、現在時刻データを音声データに変換する（図３のステップＡ５）。音声データ４２は時刻の読み上げに用いられる数字、「時」、「分」等のデータからなる。音声合成処理部３４は現在時刻データの数字からそれに対応する音声データを合成することで出力する音声データを作成する。ここで合成された音声データはサウンダ５で音声信号に変換された後、スピーカ６から発音される（図３のステップＡ６）。
【００２７】
ステップＡ４において現在の出力モードがバイブレータ通知であると判定された場合、バイブレータ制御部３５は、出力先制御部３３を通して時刻制御部３２から入力された現在時刻データを振動パターンに変換し（図３のステップＡ７）、バイブレータ７をこの振動パターンで振動させる（図３のステップＡ８）。
【００２８】
この振動パターンは振動時と停止時の時間間隔および振動時間の長さの組み合わせで決定される。例えば、現在時刻が２時１５分である場合、図４のＢ１に示すように、まず短時間の振動（短振動）を２回行った後に長めの振動（長振動）を行うことで「２時」を表す。次に、図４のＢ２に示すように、１０分台を表すために短振動１回と長振動１回を行い、最後に同図にＢ３で示すように、５分を表すために短振動５回、所定周期で繰り返す。上記の長振動により、時の桁と１０分の桁の区切りが分かる。このように、バイブレータ７の短振動と長振動を繰り返す振動のパターンにより、利用者に現在時刻を報知することが可能となる。
【００２９】
このように、本実施の形態では、折り畳み型携帯電話機が折り畳まれた状態であっても、下筐体１０ｂの外部側面に設けられたサイドキー２を押下することで、音声もしくはバイブレータ７の振動にて現在時刻を利用者に報知することができるので、折り畳み型携帯電話機をポケットや鞄等に収納してある状態でも、利用者は現在時刻を確認することができる。
【００３０】
なお、サウンダ通知かバイブレータ通知かは利用者が任意に切り替えることができ、その設定値を出力モード４１で記憶しておく。
【００３１】
次に、本発明の他の実施の形態について説明する。上記の実施の形態では現在時刻を音声又はバイブレータ７の振動パターンで報知するように説明したが、数字に関する他の情報を利用者に報知することもでき、その場合、図４に示す振動パターンを利用することができる。
【００３２】
例えば、あらかじめ設定によりサイドキー２を押下することで、折り畳み型携帯電話機内の未読メール数を確認できるように設定しておき、未読メール数を音声もしくは振動パターンにより通知することが可能である。例えば、未読メール数が「５通」であった場合、バイブレータ出力設定時には図４のＢ３に示した、短振動を５回所定周期で繰り返す振動パターンでバイブレータ７を振動させることにより、利用者に通知することができる。
【００３３】
なお、本発明は以上の実施の形態に限定されるものではなく、例えば、日付などの他の数値情報も同様にして報知でき、更には曜日なども予め各曜日と数値を対応付けておき、その数値の情報を報知することで曜日も報知可能である。
【００３４】
【発明の効果】
以上説明したように、本発明によれば、折り畳み状態のままで所定のキーを外部から押下することで、数値情報の各数値毎に対応させた振動パターンでバイブレータを振動させることができるため、表示部が確認できない折り畳み状態でもキーを押下するだけで現在時刻等の数値情報をバイブレータの振動パターンで確認できる。
【００３５】
また、本発明によれば、音声モードであるときには、折り畳み状態のままで所定のキーを外部から押下するだけで、現在時刻等の数値情報の各数値毎に対応させた音声信号を合成出力するようにしたため、表示部が確認できない折り畳み状態でも現在時刻等の数値情報を音声で確認できる。
【図面の簡単な説明】
【図１】  本発明の折り畳み型携帯電話機における数値情報報知装置の一実施の形態のブロック図である。
【図２】  本発明に適用される折り畳み型携帯電話機の一例の外観斜視図である。
【図３】  本発明の折り畳み型携帯電話機における数値情報報知方法の一実施の形態の動作説明用フローチャートである。
【図４】  本発明において数値情報を振動にて通知する場合の振動パターンの各例を示す図である。
【符号の説明】
１  開閉検出部
２  サイドキー
３  制御部
４  記憶部
５  サウンダ
６  スピーカ
７  バイブレータ
３１  出力判定部
３２  時刻制御部
３３  出力先制御部
３４  音声合成処理部
３５  バイブレータ制御部
４１  出力モード
４２  音声データ
【図１】
0004135326.tif 000002
【図２】
0004135326.tif 000003
【図３】
0004135326.tif 000004
【図４】
0004135326.tif 000005